(57)【要約】      （修正有）【課題】外装材、建築物、室外機等における表面材の内側の温度と外気の温度との差を年間通じて小さくすることができる表面材の提供。【解決手段】所定の熱反射性を有する遮熱材料層５１を備えた表面材５０であって、上記遮熱材料層５１の表面に、周囲温度の低下に伴い透明度が小さくなるような特性を有するサーモクロミック材料層５４を積層させて表面材５０を構成する。好ましくは、サーモクロミック材料層５４は周囲温度の低下に伴い、黒色へ変化する。【選択図】図３
2009262378.tif 000002
【特許請求の範囲】
【請求項１】
所定の熱反射性を有する遮熱材料層（51）を備えた表面材であって、
上記遮熱材料層（51）の表面には、周囲温度の低下に伴い透明度が小さくなるような特性を有するサーモクロミック材料層（54）が積層されていることを特徴とする表面材。
【請求項２】
請求項１において、
上記サーモクロミック材料層（54）は、周囲温度の低下に伴い黒色へ変化するように構成されていることを特徴とする表面材。
【請求項３】
請求項１又は２において、
上記遮熱材料層（51）には、ガラス粉末、シリカ粉末、アルミナ粉末、及び中空ガラスビーズのうちの少なくとも１種が含まれていることを特徴とする表面材。
【請求項４】
外装材（12）の外表面に請求項１乃至３のいずれか１に記載の表面材（50）がコーティングされていることを特徴とする建築物。
【請求項５】
外表面に請求項１乃至３のいずれか１に記載の表面材（50）がコーティングされていることを特徴とする空調機の室外機ケーシング。
【請求項６】
外表面に請求項１乃至３のいずれか１に記載の表面材（50）がコーティングされていることを特徴とする空調機の室外熱交換器。
【請求項７】
基材（11,36,42）の表面に、所定の熱反射性を有する遮熱塗料を塗布して遮熱材料層（51）を形成する工程と、
上記遮熱材料層（51）の表面に、周囲温度の低下に伴い透明度が小さくなるような特性を有するサーモクロミック塗料を塗布してサーモクロミック材料層（54）を形成する工程とを備えることを特徴とする表面材の製造方法。
【発明の詳細な説明】
【技術分野】
【０００１】
本発明は、建築物等の表面にコーティングされる表面材に関するものである。
【背景技術】
【０００２】
建築物の屋根や壁面等では、太陽光エネルギーを吸収することにより建築物の屋根や壁面等が温度上昇し、居住性の低下、空調エネルギーの増大を招いていた。そこで、このような問題を解決する従来技術として、建築物の屋根等に遮熱機能を有する表面材をコーティングすることが知られている。
【０００３】
例えば特許文献１には、この種の表面材が開示されている。この表面材では、屋根等の表面に遮熱塗料を塗装することで遮熱材料層が形成されている。遮熱材料層は、例えばフッ化ビニリデン系樹脂等のフッ素樹脂を主成分とし、太陽熱を反射するための顔料（ガラス粉末等）が含有されている。遮熱材料層では、太陽光の赤外線を反射させることで、屋根等への熱伝導が防止される。これにより、太陽熱の吸収に起因する家屋内の温度上昇が抑制され、空調負荷の低減が図られている。
【特許文献１】特開２０００−２８８４６６号公報
【発明の開示】
【発明が解決しようとする課題】
【０００４】
ところが、屋内で暖房が行われるような冬季においては、太陽熱を積極的に家屋内に吸収した方が好ましい。これに対し、上記特許文献１に開示の表面材では、冬季においても、太陽光の熱を反射させてしまうため、家屋内への熱の吸収が抑制されてしまう。その結果、従来例の表面材では、夏季においては空調機の省エネルギー化に寄与できるものの、冬季においては返って暖房負荷の増大に起因して空調機の省エネルギー性を悪化させてしまうという問題が生じてしまう。
【０００５】
本発明は、かかる点に鑑みてなされたものであり、その目的は、外気温度の変動に依らず空調機の省エネルギー化を図ることができる表面材を提案することである。
【課題を解決するための手段】
【０００６】
第１の発明は、所定の熱反射性を有する遮熱材料層（51）を備えた表面材を前提としている。そして、この表面材は、その遮熱材料層（51）の表面に、周囲温度の低下に伴い透明度が小さくなるような特性を有するサーモクロミック材料層（54）が積層されていることを特徴とするものである。
【０００７】
第１の発明では、遮熱材料層（51）の表面にサーモクロミック材料層（54）が積層される。遮熱材料層（51）は、太陽光の熱に対して所定の熱反射性を有する。一方、サーモクロミック材料層（54）は、周囲温度が低下するに連れて透明度が小さくなるような特性（サーモクロミック特性）を有する。
【０００８】
例えば外気温度が比較的高温となる夏季においては、サーモクロミック材料層（54）の周囲温度も高くなり、その透明度が大きくなる（無色透明に近づく色となる）。この状態の表面材に太陽光が射し込むと、太陽光はサーモクロミック材料層（54）を透過して、遮熱材料層（51）へ入射する。入射した太陽光の熱（特に赤外線）は、遮熱材料層（51）の反射機能により、外表面側に向かって反射する。その結果、夏季においては、遮熱材料層（51）の反射／遮熱作用により表面材の内側への熱の侵入が抑制される。
【０００９】
一方、例えば外気温度が比較的低温となる冬季においては、サーモクロミック材料層（54）の周囲温度も低くなり、その透明度が小さくなる（有色非透明に近づく色となる）。この状態の表面材に太陽光が射し込むと、太陽光の熱が有色のサーモクロミック材料層（54）に吸収される。また、太陽光がサーモクロミック材料層（54）を透過して遮熱材料層（51）に入射して反射した場合にも、反射後の太陽光の熱がサーモクロミック材料層（54）へ吸収される。サーモクロミック材料層（54）に吸収された熱は、遮熱材料層（51）へ伝導する。その結果、冬季においては、サーモクロミック材料層（54）による熱の吸収作用により、表面材の内側への熱の侵入が促進される。
【００１０】
第２の発明は、第１の発明の表面材において、上記サーモクロミック材料層（54）は、周囲温度の低下に伴い黒色へ変化するように構成されていることを特徴とするものである。
【００１１】
第２の発明では、例えば冬季においては、サーモクロミック材料層（54）の周囲温度が低くなると、サーモクロミック材料層（54）が黒色に変化する。このため、太陽光の熱がサーモクロミック材料層（54）へ吸収され易くなり、表面材の内側への熱の侵入が一層促進される。
【００１２】
第３の発明は、第１又は第２の発明の表面材において、上記遮熱材料層（51）には、ガラス粉末、シリカ粉末、アルミナ粉末、及び中空ガラスビーズのうちの少なくとも１種が含まれていることを特徴とするものである。
【００１３】
第３の発明では、遮熱材料層（51）に、ガラス粉末、シリカ粉末、アルミナ粉末、及び中空ガラスビーズの少なくとも１種が含まれることで、この遮熱材料層（51）の熱反射性能が向上する。このため、夏季においては、表面材の内側への太陽熱の侵入を効果的に抑制することができる。
【００１４】
第４の発明は、建築物を前提とし、その外装材（12）の外表面に第１乃至第３のいずれか１の発明の表面材（50）がコーティングされていることを特徴とするものである。
【００１５】
第４の発明では、外装材（12）の外表面に上述の表面材（50）がコーティングされる。このため、室外温度が高くなる夏季においては、外装材（12）の内側への太陽熱の侵入が抑制される一方、室外温度が低くなる冬季においては、外装材（12）の内側への太陽熱の侵入が促進される。
【００１６】
第５の発明は、空調機の室外機ケーシングを前提とし、その外表面に第１乃至３のいずれか１つの発明の表面材（50）がコーティングされていることを特徴とするものである。
【００１７】
第５の発明では、空調機の室外機ケーシングの外表面に上述の表面材（50）がコーティングされる。このため、室外温度が高くなる夏季においては、室外機ケーシングの内部への太陽熱の侵入が抑制される一方、室外温度が低くなる冬季においては、室外機ケーシングの内部への太陽熱の侵入が促進される。
【００１８】
第６の発明は、空調機の室外熱交換器を前提とし、室外熱交換器の外表面に第１乃至第３のいずれか１の発明の表面材（50）がコーティングされていることを特徴とするものである。
【００１９】
第６の発明では、空調機の室外熱交換器の外表面に上述の表面材（50）がコーティングされる。このため、室外温度が高くなる夏季においては、室外熱交換器の内部（即ち冷媒流路）への太陽熱の侵入が抑制される一方、室外温度が低くなる冬季においては、室外熱交換器の内部（冷媒流路）への太陽熱の侵入が促進される。
【００２０】
第７の発明は、表面材の製造方法を前提とし、基材（11,36,42）の表面に所定の熱反射性を有する遮熱塗料を塗布して遮熱材料層（51）を形成する工程と、該遮熱材料層（51）の表面に、周囲温度の低下に伴い透明度が小さくなるような特性を有するサーモクロミック塗料を塗布してサーモクロミック材料層（54）を形成する工程とを備えることを特徴とするものである。
【００２１】
第７の発明では、所定の基材（11,36,42）の表面に遮熱塗料を塗布して遮熱材料層（51）を形成し、更に形成後の遮熱材料層（51）の表面にサーモクロミック材料を塗布してサーモクロミック材料層（54）を形成することで、上記第１の発明に相当する表面材が製造される。
【発明の効果】
【００２２】
本発明では、遮熱材料層（51）の表面に、周囲温度の低下に伴い透明度が小さくなるサーモクロミック材料層（54）を形成している。これにより、例えば夏季の高外気温度条件下においては、太陽光の熱を遮熱材料層（51）で積極的に反射させて遮熱を行うことができる。また、例えば冬季の低外気温度条件下においては、太陽光の熱をサーモクロミック材料層（54）へ積極的に吸収し、この熱を表面材の内側へ伝えることができる。以上のように、本発明の表面材では、外気温度が高い場合には熱の吸収を抑制し、外気温度が低い場合には熱の吸収を促進させているので、表面材の内側（例えば家屋内）の温度と、外気の温度との差を年間通じて小さくすることができる。
【００２３】
これにより、第４の発明に係る建築物によれば、高外気温度条件下で外装材（12）の内側の温度を低くして空調機の冷房負荷を低減できる。また、第４の発明によれば、低外気温度条件下では外装材（12）の内側の温度を高くして空調機の暖房負荷を低減できる。
【００２４】
また、第５の発明に係る室外機ケーシングによれば、高外気温度条件下でケーシングの内側の温度を低くすることで、室外熱交換器での冷媒の放熱量を増大させることができる。その結果、空調機の冷房能力を向上させることができる。また、第５の発明によれば、低外気温度条件下でケーシングの内側の温度を高くすることで、室外熱交換器での冷媒の吸熱量を増大させることができる。その結果、空調機の暖房能力を向上させることができる。
【００２５】
更に、第６の発明に係る室外熱交換器によれば、高外気温度条件下で室外熱交換器の内部への熱の侵入を抑制することで、室外熱交換器での冷媒の放熱量を増大させることができる。その結果、空調機の冷房能力を向上させることができる。また、第６の発明によれば、低外気温度条件下で室外熱交換器の内部への熱の侵入を促進させることで、室外熱交換器での冷媒の吸熱量を増大させることができる。その結果、空調機の暖房能力を向上させることができる。
【発明を実施するための最良の形態】
【００２６】
以下、本発明の実施形態を図面に基づいて詳細に説明する。
【００２７】
《発明の実施形態１》
本発明の実施形態１は、表面材（50）を建築物（10）の外表面にコーティングしたものである。
【００２８】
図１に示すように、建築物（10）は、例えば工場、住居、店舗等の家屋を構成している。建築物（10）は、立設される壁面部（11）と、該壁面部（11）の上端に敷設される屋根部（12）とを有している。壁面部（11）及び屋根部（12）は、外装材を構成しており、室外に曝露されている。また、屋根部（12）は、例えば波板状に形成されている。
【００２９】
実施形態１では、上記表面材（50）が屋根部（12）の上面（即ち外表面）にコーティングされている。図２に示すように、表面材（50）は、屋根部（12）の外表面に形成される遮熱材料層（51）と、該遮熱材料層（51）の外表面に積層されるサーモクロミック材料層（54）とで構成されている。つまり、表面材（50）では、遮熱材料層（51）がサーモクロミック材料層（54）で覆われる一方、サーモクロミック材料層（54）が空気中に露出されている。
【００３０】
上記遮熱材料層（51）は、樹脂材料を主成分としており、更に樹脂材料内に所定の顔料（52）が含有されて構成されている。遮熱材料層（51）の主成分となる樹脂材料は、例えばアクリルウレタン樹脂、アクリル樹脂、アクリルシリコン樹脂、含フッ素ウレタン樹脂、フッ素樹脂、塗料用無機樹脂のうち少なくとも１種から構成されている。また、上記顔料（52）は、太陽熱（特に赤外線）に対して反射性に優れた材料が選定され、例えばガラス粉末、シリカ粉末、アルミナ粉末、中空ガラスビーズのうち少なくとも１種から構成されている。これにより、遮熱材料層（51）は、所定の熱反射性を有するように構成されている。
【００３１】
上記サーモクロミック材料層（54）は、周囲温度の変動に応じて変色する、いわゆる可逆性の示温材料（熱変色材料）で構成されている。この示温材料としては、例えば電子供与性呈色性有機化合物、フェノール性水酸基含有化合物の金属塩、カルボン酸化合物等が挙げられる。
【００３２】
サーモクロミック材料層（54）は、周囲温度（即ち外気温度）の低下に伴い透明度が小さくなるようなサーモクロミック特性を有している。つまり、サーモクロミック材料層（54）は、例えば夏季等の高外気温度件下では透明度が大きくなり、例えば冬季等の低外気温度条件下では、透明度が小さくなるように構成されている。また、サーモクロミック材料層（54）は、周囲温度の低下に伴い黒色へ変化するサーモクロミック特性を有している。つまり、サーモクロミック材料層（54）は、例えば夏季等の高外気温度条件下では無色（透明色）に近い色となり、例えば冬季等の低外気温度条件下では、黒色（非透明色）に近い色となる。更に、サーモクロミック材料層（54）では、夏季と冬季との間の中間季の外気の平均的な温度（例えば約１８℃〜２２℃、更に厳密には２０℃）を境界として、上記の黒色と透明色との間で可逆的に変色するように構成されている。
【００３３】
以上のような構成の表面材（50）は、例えば屋根部（12）等の基材の表面に、所定の熱反射性を有する遮熱塗料（即ち、上述した樹脂材料に顔料（52）を配合した塗料）を塗布して上記遮熱材料層（51）を形成し、更に遮熱材料層（51）の表面に、上述のサーモクロミック特性を有するサーモクロミック塗料を塗布してサーモクロミック材料層（54）を形成することで得ることができる。なお、サーモクロミック材料層（54）を形成する場合には、上記の塗装処理以外にも、例えば示温材料を含有したポリマー組成物から成るフィルムを、遮熱材料層（51）の表面に貼着しても良い。
【００３４】
〈表面材の遮熱／吸熱作用〉
表面材（50）では、周囲温度の変化に伴い太陽熱の吸収性能（遮熱性能や吸熱性能）も変化する。以下には、このような表面材（50）の遮熱／吸熱作用について、図３を参照しながら具体的に説明する。
【００３５】
例えば夏季において、外気温度が比較的高温（例えば３０℃）である場合、表面材（50）のサーモクロミック材料層（54）が無色（透明色）となる（図３(Ａ)を参照）。この状態で太陽光が表面材（50）に向かって射し込むと、太陽光はサーモクロミック材料層（54）を透過し遮熱材料層（51）へ入射する。遮熱材料層（51）では、太陽光の熱（特に赤外線）が顔料（52）の反射作用により外表面側に向かって反射する。これにより、太陽光の熱が遮熱され、遮熱材料層（51）から屋根部（12）への伝熱が抑制される。従って、建築物（10）の屋内では、太陽熱の侵入が抑制され、これにより室内の冷房負荷が低減される。その結果、夏季においては、冷房時の空調の省エネルギー化が図られる。
【００３６】
一方、冬季において、外気温度が比較的低温（例えば１０℃）である場合、表面材（50）のサーモクロミック材料層（54）が黒色（非透明色）となる（図３(Ｂ)を参照）。この状態で太陽光が表面材（50）に向かって射し込むと、太陽光の熱が黒色のサーモクロミック材料層（54）に吸収される。また、サーモクロミック材料層（54）を透過して遮熱材料層（51）へ入射した太陽光が仮に反射した場合にも、この反射光の熱がサーモクロミック材料層（54）に吸収される。以上のように、サーモクロミック材料層（54）が黒色となることで、太陽光の熱がサーモクロミック材料層（54）へ積極的に吸収される。
【００３７】
サーモクロミック材料層（54）に吸収された熱は、遮熱材料層（51）へ伝わり、更に屋根部（12）へ伝達される。従って、建築物（10）の屋内では、太陽熱の侵入が促進され、これにより室内の暖房負荷が低減される。その結果、冬季においては、暖房時の空調の省エネルギー化が図られる。
【００３８】
−実施形態１の効果−
上記実施形態１では、屋根部（12）の表面に遮熱材料層（51）を形成し、この遮熱材料層（51）の表面に、周囲温度の低下に伴い透明度が小さくなるサーモクロミック材料層（54）を積層している。これにより、例えば夏季の高外気温度条件下においては、太陽光の熱を遮熱材料層（51）で積極的に反射させて遮熱を行うことができる。従って、建築物（10）の家屋内の冷房負荷を低減できる。また、例えば冬季の低外気温度条件下において、太陽光の熱をサーモクロミック材料層（54）へ積極的に吸収し、この熱を遮熱材料層（51）及び屋根部（12）を介して家屋内へ伝導させることができる。従って、建築物（10）の家屋内の暖房負荷を低減できる。
【００３９】
以上のように、実施形態１では、外気温度の変動に追随するように、表面材（50）の
吸熱性能を変化させているので、外気温度と建築物（10）の家屋内の温度との差を常に小さくすることができ、外気温度の変動に依らず空調機の省エネルギー化を図ることができる。
【００４０】
《発明の実施形態２》
本発明の実施形態２は、表面材（50）を空調機（20）の室外機ケーシング（36）の外表面にコーティングしたものである。図４に示すように、空調機（20）は、冷媒回路（21）で冷媒を循環させて冷凍サイクルを行うヒートポンプ式の冷凍装置を構成しており、室内の冷房と暖房とを切り換えて行うものである。
【００４１】
空調機（20）は、室内機（25）と室外機（30）とが２本の連絡配管（22,23）で連結されている。これにより、空調機（20）では、閉回路となる上記冷媒回路（21）が構成されている。室内機（25）は、家屋の室内に設置されている。室内機（25）には、室内熱交換器（26）と膨張弁（27）と室内ファン（28）とが設けられている。室外機（30）は、室外に設置されている。室外機（30）には、圧縮機（31）と四方切換弁（33）と室外熱交換器（40）とが設けられている。
【００４２】
四方切換弁（33）は、４つのポートを有している。四方切換弁（33）は、第１のポートが圧縮機の吐出側と接続し、第２のポートが圧縮機の吸入側と接続し、第３のポートが室外熱交換器（40）の一端と接続し、第４のポートが室内熱交換器（26）の一端と接続している。四方切換弁（33）は、第１のポートと第３のポートとが連通すると同時に第２のポートと第４のポートとが連通する状態（図４の実線で示す状態）と、第１のポートと第４のポートとが連通すると同時に第２のポートと第３のポートとが連通する状態（図４の破線で示す状態）とを相互に切り換え可能に構成されている。
【００４３】
また、室外機（30）は、圧縮機（31）、室外熱交換器（40）、室外ファン（34）等を収容する室外機ケーシング（36）を有している。室外機ケーシング（36）は、前後に扁平な矩形箱型形状をしている。室外機ケーシング（36）では、その前後、あるいは側方のパネルの外表面に、上記実施形態１と同様の表面材（50）がコーティングされている。これにより、室外機ケーシング（36）では、その周囲温度に応じて太陽熱の吸収性能が変化する。この点について、空調機（20）の運転動作と併せて説明する。
【００４４】
例えば夏季において、外気温度が比較的高温（例えば３０℃）である場合、空調機（20）で冷房運転が行われる。冷房運転では、四方切換弁（33）が図４の実線で示す状態となって圧縮機（31）が運転される。その結果、冷房運転時には、室外熱交換器（40）が凝縮器（放熱器）として機能し、室内熱交換器（26）が蒸発器として機能する冷凍サイクルが行われる。これにより、室内熱交換器（26）では、冷媒が室内空気から吸熱し、室内空気が冷却される。
【００４５】
このような夏季において、室外機ケーシング（36）の表面材（50）のサーモクロミック材料層（54）は、上記実施形態１と同様にして無色透明となっている（図３(Ａ)を参照）。このため、室外機ケーシング（36）の表面に射し込む太陽光の熱は、遮熱材料層（51）によって反射されるので、室外機ケーシング（36）の内部への太陽熱の侵入が抑制される。従って、室外熱交換器（40）の周囲温度が低くなり、室外熱交換器（40）での冷媒の放熱量が増大する。その結果、空調機（20）の冷房能力が充分に発揮され、省エネルギー化が図られる。
【００４６】
一方、例えば冬季において、外気温度が比較的低温（例えば１５℃）である場合、空調機（20）で暖房運転が行われる。暖房運転では、四方切換弁（33）が図４の破線で示す状態となって圧縮機（31）が運転される。その結果、暖房運転時には、室内熱交換器（26）が凝縮器（放熱器）として機能し、室外熱交換器（40）が蒸発器として機能する冷凍サイクルが行われる。これにより、室内熱交換器（26）では、冷媒が室内空気へ放熱し、室内空気が加熱される。
【００４７】
このような冬季において、室外機ケーシング（36）の表面材（50）のサーモクロミック材料層（54）は、上記実施形態１と同様にして黒色（非透明色）となっている（図３(Ｂ)を参照）。このため、室外機ケーシング（36）の表面に射し込む太陽光の熱は、サーモクロミック材料層（54）へ積極的に吸収されるので、室外機ケーシング（36）の内部への太陽熱の侵入が促進される。従って、室外熱交換器（40）の周囲温度が高くなり、室外熱交換器（40）での冷媒の吸熱量が増大する。その結果、空調機（20）の暖房能力が充分に発揮され、省エネルギー化が図られる。
【００４８】
−実施形態２の変形例−
上記実施形態２の空調機（20）について、室外熱交換器（40）の外表面に上述の表面材（50）をコーティングするよういしても良い。
【００４９】
具体的に、例えば図６に示す室外熱交換器（40）は、クロスフィンコイル式の熱交換器で構成されている。室外熱交換器（40）は、冷媒配管としての伝熱管（41）と、伝熱管（41）が複数のフィン（42）とで構成されている。室外熱交換器（40）では、複数のフィン（42）は、その厚さ方向に等間隔で配列されており、伝熱管（41）の直管部が各フィン（42）を貫通している。そして、この変形例では、各フィン（42）の外表面に表面材（50）がコーティングされている。
【００５０】
変形例の室外熱交換器（40）では、夏季の太陽光が室外熱交換器（40）側に射し込んだ場合において、上記各実施形態と同様にして、遮熱材料層（51）による遮熱作用により室外熱交換器（40）への伝熱が抑制される。その結果、夏季に凝縮器として機能する室外熱交換器（40）の放熱量が増大するので、空調機（20）の冷房能力を向上できる。
【００５１】
一方、冬季の太陽光が室外熱交換器（40）側に射し込んだ場合において、上記各実施形態と同様にして、サーモクロミック材料層（54）による吸熱作用により室外熱交換器（40）への伝熱が促進される。その結果、冬季に蒸発器として機能する室外熱交換器（40）の吸熱量が増大するので、空調機（20）の暖房能力を向上できる。
【００５２】
《その他の実施形態》
上記各実施形態に述べた基材以外に本発明に係る表面材（50）を適用しても良い。具体的には、例えば実施形態１の建築物（10）の壁面部（11）の外表面や、上記実施形態２の変形例の室外熱交換器（40）の伝熱管（41）の外表面に表面材（50）をコーティングしても良い。
【００５３】
また、上記の表面材（50）は、周囲温度が低下すると黒色に変化する特性を有しているが、黒色以外であっても有色であれば、他の色に変化する特性を付与するようにしても良い。
【００５４】
なお、以上の実施形態は、本質的に好ましい例示であって、本発明、その適用物、あるいはその用途の範囲を制限することを意図するものではない。
【産業上の利用可能性】
【００５５】
以上説明したように、本発明は、建築物等の表面にコーティングされる表面材について有用である。
【図面の簡単な説明】
【００５６】
【図１】図１は、実施形態１に係る建築物の外観の一部を示す斜視図である。
【図２】図２は、本発明に係る表面材を拡大した断面図である。
【図３】図３は、本発明に係る表面材を拡大した断面図であり、図３(Ａ)は夏季の状態を、図３(Ｂ)は冬季の状態を模式的に表した説明図である。
【図４】図４は、実施形態２に係る空調機の概略構成を示す配管系統図である。
【図５】図５は、実施形態２に係る空調機の室外機ケーシングの概略構成を示す斜視図である。
【図６】図６は、実施形態２の変形例に係る室外熱交換器の概略構成を示す斜視図である。
【符号の説明】
【００５７】
12    屋根部（外装材、基材）
36    室外機ケーシング（基材）
42    フィン（基材）
50    表面材
51    遮熱材料層
54    サーモクロミック材料層
【図１】
2009262378.tif 000003
【図２】
2009262378.tif 000004
【図３】
2009262378.tif 000005
【図４】
2009262378.tif 000006
【図５】
2009262378.tif 000007
【図６】
2009262378.tif 000008